(57)【要約】【課題】電子式ビューファインダー装置の防塵性を確保する上で有利な撮像装置を提供する。【解決手段】外側ケース８８の開口９２は、内側ケース８６を、内側ケース８６の延在方向を外側ケース８８の延在方向に合わせた状態で収容空間９０に挿入できるように形成されている。外側ケース８８が収容空間９０に臨む内面に、外側ケース８８の延在方向と直交する方向で内面全周に延在して外側ケース８８と一体に当て付け壁８８２０が膨出形成されている。防塵用クッション１００は、ストッパ９８により内側ケース８６の前方への移動が阻止された状態で外側ケース８８の内部で、後方に臨む内側ケース８６の壁面の周囲全周と、前方に臨む外側ケース８８の壁面の周囲全周との間に圧縮された状態で介在されている。【選択図】図７
2007166463.tif 000002
【特許請求の範囲】
【請求項１】
撮像素子で生成された撮像信号に基づいて生成された画像を表示面に表示する液晶表示装置と、前記液晶表示装置を照明するバックライトと、前記表示面に表示される画像を拡大する光学系とを有する電子式ビューファインダー装置を備える撮像装置であって、
前記電子式ビューファインダー装置のケースは、
前記液晶表示装置と前記バックライトを収容する断面が筒状を呈して前後に延在する内側ケースと、
前記内側ケースの断面よりも大きい寸法の断面の筒状を呈して前後に延在する外側ケースと、
前記外側ケースの内部に設けられ、前記内側ケースを、前記内側ケースの延在方向を前記外側ケースの延在方向に合わせた状態で収容する収容空間と、
前記外側ケースの延在方向に沿って延在する前記外側ケースの壁部に形成され、前記内側ケースを前記収容空間に挿入する開口と、
前記開口を閉塞する蓋体と、
前記光学系を収容し前記外側ケースの後端に取着されるアイカップ部と、
前記内側ケースが前記収容空間に収容され前記開口が前記蓋体で閉塞された状態で前方への前記内側ケースの移動を阻止するストッパと、
前記ストッパにより前記内側ケースの前方への移動が阻止された状態で前記外側ケースの内部で、後方に臨む前記内側ケースの壁面の周囲全周と、前方に臨む前記外側ケースの壁面の周囲全周との間に圧縮された状態で介在された防塵用クッションと、
を備えることを特徴とする撮像装置。
【請求項２】
前記内側ケースは、左右の幅よりも大きい寸法の前後方向の長さを有し、前記開口は、前記内側ケースの左右の幅よりも大きい寸法の左右幅で、かつ、前記内側ケースの前後方向の長さよりも大きい寸法の前後方向の長さで延在形成されている左右幅でことを特徴とする請求項１記載の撮像装置。
【請求項３】
前記収容空間は、前記外側ケースの内部で前記外側ケースの前端寄りに設けられていることを特徴とする請求項１記載の撮像装置。
【請求項４】
前記ストッパは、前記蓋体が前記収容空間に臨む内面で前記外側ケースの延在方向と直交する方向に延在して前記蓋体に膨出形成されたストッパ壁により構成されていることを特徴とする請求項１記載の撮像装置。
【請求項５】
前記ストッパ壁は、前記内側ケースの前端に当接可能なストッパ面を有し、前記ストッパ面は、前記収容空間の内側に至るにつれて前方に変位する傾斜面で形成されていることを特徴とする請求項４記載の撮像装置。
【請求項６】
後方に臨む前記内側ケースの壁面の周囲全周は、前記内側ケースの後端面の全周であり、前記開口が形成された箇所よりも後方の箇所で前記外側ケースが前記収容空間に臨む内面に前記外側ケースの延在方向と直交する方向で前記内面全周に延在して前記外側ケースと一体に当て付け壁が膨出形成され、前方に臨む前記外側ケースの壁面の周囲全周は、前方に臨む前記当て付け壁の面の周囲全周であることを特徴とする請求項１記載の撮像装置。
【請求項７】
前記外側ケースは、下壁と上壁と左右の側壁から断面が矩形枠状を呈しており、前記外側ケースの前端に、前記上壁の前端と、前記左右の側壁の前端を接続する前壁が設けられ、前記下壁は前記外側ケースの後端寄り箇所に位置し、前記開口が前記外側ケースの下面において、前記左右の側壁の下端の間で前記下壁の前端から前記前壁の下端まで延在していることを特徴とする請求項１記載の撮像装置。
【請求項８】
前記液晶表示装置と前記バックライトに信号伝送用および電力供給用のフレキシブル基板が連結され、前記前壁と前記蓋体の前端に、前記蓋体で前記開口を閉塞した状態で互いに向かい合いつつ左右に延在する突出壁が前方に突設され、それら前壁の突出壁と蓋板の突出壁の間に基板挿通空間が形成され、前記フレキシブル基板は前記基板挿通空間を通って前記電子式ビューファインダー装置のケースの内外に延在していることを特徴とする請求項７記載の撮像装置。
【請求項９】
前記基板挿通空間は、前後延在部と上下延在部とを有し、前記前後延在部は前後に延在しその後端が前記電子式ビューファインダー装置のケースの内部に連通しており、前記上下延在部は、前記前後延在部の前端から下方に延在しその下端が外部に開口していることを特徴とする請求項８記載の撮像装置。
【請求項１０】
前記撮像装置はカメラ本体を有し、前記電子式ビューファインダー装置は前記カメラ本体の上面後部に設けられ、前記外側ケースの前端は前記カメラ本体に枢支されて上下揺動可能に結合され、前記開口は、前記外側ケースが下方に臨む下面に設けられていることを特徴とする請求項１記載の撮像装置。
【発明の詳細な説明】
【技術分野】
【０００１】
本発明は電子式ビューファインダー装置を備えた撮像装置に関する。
【背景技術】
【０００２】
ビデオカメラなどの撮像装置として、電子式ビューファインダー装置を備えたものが提供され、電子式ビューファインダー装置は、撮像装置のカメラ本体に固定的に設けられており、あるいは、上下に揺動可能に設けられている。
電子式ビューファインダー装置は、カメラ本体の撮像素子の撮像信号に基づいて生成された画像を表示面に表示する液晶表示装置と、液晶表示装置を照明するバックライトと、表示面に表示される画像を拡大する光学系と、それら液晶表示装置、バックライト、光学系などの部品を収容するケースとを備えている（特許文献１参照）。
従来の電子式ビューファインダー装置のケースは筒状を呈しており、液晶表示装置、バックライト、光学系などの部品を順次ケースの軸線方向に沿ってケース内に挿入して組み込む構造や、あるいは、ケースが上下２つの半体に分離され、一方の半体に液晶表示装置、バックライト、光学系などの部品を組み付けたのち、他方の半体を合わせてケースを完成させる構造が提供されている。
【特許文献１】特開平８−６５５５２号公報
【発明の開示】
【発明が解決しようとする課題】
【０００３】
しかしながら、上述した何れの構造の場合も、液晶表示装置やバックライトなどに信号が電源を供給するためのフレシブル基板を挿通するための開口が形成されていることからその開口から塵埃が侵入して液晶表示装置の表示面に付着し、電子式ビューファインダー装置を覗き込んだ際に画像とともに塵埃が視認され、表示される画像の品質を確保する上で不利があった。
本発明はこのような事情に鑑みなされたものであり、その目的は、電子式ビューファインダー装置の防塵性を確保する上で有利な撮像装置を提供することにある。
【課題を解決するための手段】
【０００４】
上述の目的を達成するため、本発明は、撮像素子で生成された撮像信号に基づいて生成された画像を表示面に表示する液晶表示装置と、前記液晶表示装置を照明するバックライトと、前記表示面に表示される画像を拡大する光学系とを有する電子式ビューファインダー装置を備える撮像装置であって、前記電子式ビューファインダー装置のケースは、前記液晶表示装置と前記バックライトを収容する断面が筒状を呈して前後に延在する内側ケースと、前記内側ケースの断面よりも大きい寸法の断面の筒状を呈して前後に延在する外側ケースと、前記外側ケースの内部に設けられ、前記内側ケースを、前記内側ケースの延在方向を前記外側ケースの延在方向に合わせた状態で収容する収容空間と、前記外側ケースの延在方向に沿って延在する前記外側ケースの壁部に形成され、前記内側ケースを前記収容空間に挿入する開口と、前記開口を閉塞する蓋体と、前記光学系を収容し前記外側ケースの後端に取着されるアイカップ部と、前記内側ケースが前記収容空間に収容され前記開口が前記蓋体で閉塞された状態で前方への前記内側ケースの移動を阻止するストッパと、前記ストッパにより前記内側ケースの前方への移動が阻止された状態で前記外側ケースの内部で、後方に臨む前記内側ケースの壁面の周囲全周と、前方に臨む前記外側ケースの壁面の周囲全周との間に圧縮された状態で介在された防塵用クッションとを備えることを特徴とする。
【発明の効果】
【０００５】
そのため、本発明によれば、防塵用クッションが、後方に臨む内側ケースの壁面の周囲全周と、前方に臨む外側ケースの壁面の周囲全周との間に圧縮された状態で介在されているので、塵埃が外側ケースの内部に侵入したとしても、その塵埃が内側ケースの内部に侵入することを防止できる。
したがって、電子式ビューファインダー装置の防塵性を確保することができ、ディスプレイの表示面に塵埃が付着することを防止でき、電子式ビューファインダー装置に表示される画像の品質を確保する上で有利となる。
また、バックライトとディスプレイ装置などの部材を組み込んだ内側ケースを、外側ケースの収容空間に収容したのち、蓋体により開口を閉塞することで電子式ビューファインダー装置の組み立てが行なえるため、組立作業の簡素化を図る上で有利となる。
【発明を実施するための最良の形態】
【０００６】
（第１の実施の形態）
次に本発明の実施の形態について図面を参照して説明する。
図１、図２は第１の実施の形態の撮像装置１０の構成を示す斜視図、図３は撮像装置１０の制御系の構成を示すブロック図である。
【０００７】
図１、図２に示すように、本実施の形態の撮像装置１０はビデオカメラである。
撮像装置１０は、カメラ本体１１と、カメラ本体１１に設けられた電子式ビューファインダー装置８０を備えている。
カメラ本体１１の外装を構成するケース１２は、左右方向の幅よりも大きな寸法の前後方向の長さおよび上下方向の高さを有している。なお、本明細書において左右は、撮像装置１０を後方から見た状態でいうものとし、また、光学系の光軸方向で被写体側を前方といい、撮像素子側を後方という。
ケース１２の上部の前部には、撮影光学系１４が組み込まれた鏡筒１６が前後に延在し、その前部がケース１２の前面に臨むように設けられている。撮影光学系１４はズームレンズを有し、ズーム率が連続的に可変できるように構成されている。
鏡筒１６の後端には撮影光学系１４によって導かれた被写体像を撮像する撮像素子１８（図３参照）が設けられている。
図１に示すように、ケース１２の左側部には、撮像素子１８によって撮像された被写体像などを表示するための例えば液晶表示装置からなるディスプレイパネル２４が開閉可能に設けられ、このディスプレイパネル２４は閉じられた際に収容凹部１２０２に収容される。なお、収容凹部１２０２の底壁にはスピーカ５２が設けられている。
図２に示すように、ケース１２の右側部には、画像データや音声データを記録するディスク状記録媒体２（図３参照）が装脱可能に収容される収容部２６が設けられ、収容部２６は開閉蓋２６０４により開閉される。
また、図２３に示すように、ケース１２の右側面には、前後方向に延在するグリップベルト２８が設けられている。
グリップベルト２８は、両端がケース１２の前部と後部に連結されたベルト本体２８０２と、ベルト本体２８０２の中間箇所を覆う甲当てパッド２８０４とを有している。
また、ケース１２の上面前部には、音声を収音するためのマイクロフォン５２が設けられている。
図１、図２に示すように、撮像装置１０には、撮影にまつわる種々の機能を実行するための操作部材として、電源用操作部材３２、静止画撮影用操作部材３４、ズーム用操作部材３６、モード切り換え用操作部材３８、動画撮影用操作部材４０などが設けられている。
【０００８】
図３に示すように、撮像装置１０には、映像信号用増幅回路４２、画像データ処理部４４、マイクロフォン４６、マイクロフォン用増幅回路４８、音声データ処理回路５０、スピーカ５２、出力用増幅回路５４、記録再生回路５６、コントロール回路５８、記録再生機構６０、ドライブ回路６２、インターフェース回路６４、メモリカード用スロット６６、ズーム駆動部６８などが設けられている。
また、撮像装置１０には、電源スイッチ７０、静止画撮影用スイッチ７２、ズーム用スイッチ７４、モード切り換え用スイッチ７６、動画撮影用スイッチ７８が設けられている。
撮像素子１８で生成された撮像信号は映像信号用増幅回路４２で増幅され、画像データ処理部４４に供給される。
画像データ処理部４４は、撮像信号に所定の信号処理を行うことで、動画データおよび静止画データを生成し、記録再生回路５６に供給される。
マイクロフォン４６で収音された音声信号はマイクロフォン用増幅回路４８で増幅され、音声データ処理回路５０によって所定の信号処理がなされ音声データとして記録再生回路５６に供給される。
【０００９】
記録再生回路５６は、画像データ処理部４４から供給された動画データおよび静止画データや音声データ処理回路５０から供給された音声データをコントロール回路５８の制御にしたがって記録再生機構６０に供給し、記録再生機構６０は動画データおよび静止画データや音声データを記録媒体としてのディスク状記録媒体２に記録する。本実施の形態では、ディスク状記録媒体２としてＤＶＤ−Ｒなどの光ディスクを用いるが、ディスク状記録媒体としては、ＤＶＤ−Ｒ以外の光ディスク、あるいは、光磁気ディスクであってもよいことは無論である。
また、記録再生回路５６は、画像データ処理部４４から供給された動画データおよび静止画データや音声データ処理回路５０から供給された音声データをインターフェース回路６４を介してメモリカード用スロット６６に装着された記録媒体としてのメモリカード４に記録する。
また、記録再生回路５６は、画像データ処理部４４から供給された動画データおよび静止画データを、ドライブ回路６２を介してディスプレイパネル２２、２４に供給して画像の表示を行わせる。
また、記録再生回路５６は、インターフェース回路６４を介してメモリカード４から供給される動画データおよび静止画データを、ドライブ回路６２を介してディスプレイパネル２２、２４に供給して画像の表示を行わせるとともに、インターフェース回路６４を介してメモリカード４から供給される音声データを出力用増幅回路５４を介してスピーカ５２に供給して音声の出力を行わせる。
また、記録再生回路５６は、記録再生機構６０によりディスク状記録媒体２から再生された動画データおよび静止画データを、ドライブ回路６２を介してディスプレイパネル２２、２４に供給して画像の表示を行わせるとともに、記録再生機構６０によりディスク状記録媒体２から再生された音声データを出力用増幅回路５４を介してスピーカ５２に供給して音声の出力を行わせる。
【００１０】
電源スイッチ７０は電源用操作部材３２の操作によって動作されるものであり、コントロール回路５８は、電源スイッチ７０の動作に基づいて撮像装置１０の電源のオン、オフを行う。
静止画撮影用スイッチ７２は静止画撮影用部材３４の操作によって動作されるものであり、コントロール回路５８は、静止画撮影用スイッチ７２の動作に基づいて画像データ処理部４４および記録再生回路５６に指令を与えることにより、画像データ処理部４４から画像データ処理部４４に供給される静止画データを記録再生回路５６から記録再生機構６０に供給することで静止画データをディスク状記録媒体２に記録させる。言い換えると、静止画撮影用部材３４は、いわゆるシャッタボタンとして機能している。
ズーム用スイッチ７４はズーム用操作部材３６の操作によって動作されるものであり、コントロール回路５８は、ズーム用スイッチ７４の動作に基づいてズーム駆動部６８に指令を与えることにより、撮影光学系１４のズームレンズを移動させることにより、撮影光学系１４のズーム率を変化させる。
モード切り換え用スイッチ７６はモード切り換え用操作部材３８の操作によって動作されるものであり、コントロール回路５８はモード切り換え用スイッチ７６の動作に基づいて画像データ処理部４４に指令を与えることにより、画像データ処理部４４によって動画データを生成させる動画撮影モードと、画像データ処理部４４によって静止画データを生成させる静止画撮影モードとを切り換える。
なお、動画撮影モードでは、画像データ処理部４４で生成された動画データが記録再生回路５６を介してディスク状記録媒体２またはメモリカード４に記録され、静止画撮影モードでは、画像データ処理部４４で生成された静止画データが記録再生回路５６を介してディスク状記録媒体２またはメモリカード４に記録される。
動画撮影用スイッチ７８は動画撮影用操作部材４０の操作によって動作されるものであり、コントロール回路５８は、動画撮影用スイッチ７８の動作に基づいて動画データの記録の開始、記録の停止を行わせる。すなわち、コントロール回路５８は、動画撮影用スイッチ７８の動作に基づいて画像データ処理部４４および記録再生回路５６に指令を与えることにより、画像データ処理部４４から画像データ処理部４４に供給される動画データを記録再生回路５６から記録再生機構６０に供給することで動画データをディスク状記録媒体２に記録させる動作を開始させ、あるいは、その動作を停止させる。言い換えると、動画撮影用操作部材４０は、いわゆる撮影スタート／ストップの操作部材として機能している。
【００１１】
次に、実施の形態に係る電子式ビューファインダー装置について説明する。
図４は収容位置にある電子式ビューファインダー装置８０の斜視図、図５は上方位置にある電子式ビューファインダー装置８０の斜視図である。
電子式ビューファイダー装置８０は、撮像素子１８によって撮像された被写体像を視認するためのものであり、図２に示すように、電子式ビューファインダー装置８０はカメラ本体１１（ケース１２）の上面後部に設けられている。
電子式ビューファインダー装置８０は、その前端がカメラ本体１１に枢支されて上下揺動可能に結合され、図４に示す収容位置と、図５に示す上方位置との間で揺動可能に設けられており、被写体の方向やユーザーの姿勢に応じて、電子式ビューファインダー装置８０を視認しやすい位置に揺動させて使用できるように図られている。
【００１２】
図６は電子式ビューファインダー装置８０の分解斜視図、図７は電子式ビューファインダー装置８０の断面図、図８は内側ケース８６の斜視図、図９は内側ケース８６に組み込まれる部品の分解斜視図、図１０は外側ケース８８の斜視図、図１１は蓋体９４の斜視図、図１２はアイカップ部９６の斜視図である。
図６、図７に示すように、電子式ビューファインダー装置８０は、前記のディスプレイパネル２２（特許請求の範囲の液晶表示装置に相当）と、バックライト８２と、光学系８４と、内側ケース８６と、外側ケース８８と、収容空間９０と、開口９２と、蓋体９４と、アイカップ部９６と、ストッパ９８と、防塵用クッション１００とを備えている。
【００１３】
図７、図８、図９に示すように、内側ケース８６は断面が矩形の筒状を呈して前後に延在している。
より詳細には、内側ケース８６は、左右の幅および上下方向の高さよりも大きい寸法の前後方向の長さを有している。
図７に示すように、内側ケース８６は、前後に延在する下壁、上壁、左右の側壁の４つの壁部８６０２を有し、それら壁部８６０２の内面で前後方向の中間箇所には壁部８６０４が内面全周にわたって設けられ、壁部８６０４は内側ケース８６の内部において矩形枠状に延在している。
壁部８６０４が前方に臨む面には、矩形状の凹部８６１２が形成されている。
図８、図９に示すように、下壁を構成する壁部８６０２の前端に、前方に突出する係合凸部８６０６が左右に延在形成されている。
左右の側壁を構成する２つの壁部８６０２の前端下部に、それぞれ取り付け片８６０８が前方に突出され、各取り付け片８６０８には係合孔８６１０が設けられている。
【００１４】
図７、図８、図９に示すように、内側ケース８６の前端にランプガイド１０２が配置され、ランプガイド１０２の前方に基板１０４が配置されている。
基板１０４の後面にバックライト８２が実装されており、バックライト８２は本実施の形態では発光ダイオードで構成されている。
ランプガイド１０２は、矩形枠状を呈してバックライト８２に臨む内側面１０２Ａを有し、バックライト８２から出射された光は内側面１０２Ａで反射され後方に導かれる。
基板１０４の前面にはバックライト８２の駆動回路を構成する電子部品が実装され、また、基板１０４には前記駆動回路に電力を供給するためのフレキシブル基板１０５が接続されている。
【００１５】
図８に示すように、基板１０４はランプガイド１０２の前面に重ね合わされ、基板１０４の互いに対向する２辺から突設された係合片１０４Ａが係合孔８６１０に係合することで、基板１０４が内側ケース８６の前端に取着されている。
これによりランプガイド１０２は、基板１０４と内側ケース８６の前端との間で挟まれた状態で内側ケース８６の前端に配置されている。
そして、基板１０４およびランプガイド１０２がこのように内側ケース８６の前端に配置される際に、クッション１０６、拡散板１０８、第１の偏光板１１０、スペーサ１１２、ディスプレイ本体２２０２が内側ケース８６の内部に配置される。
【００１６】
図７、図８、図９に示すように、ランプガイド１０２の後面には、矩形枠状のクッション１０６を介して拡散板１０８が重ね合わされて配置されている。拡散板１０８はバックライト８２からの光を均一に拡散するものである。
拡散板１０８の後面には第１の偏光板１１０が重ね合わされて配置されている。
第１の偏光板１０８の後面には矩形枠状のスペーサ１１２を介してディスプレイ本体２２０２が重ね合わされている。
ディスプレイ本体２２０２は液晶が封入された２枚のガラス板と、各ガラス板に形成された電極に接続されたフレキシブル基板２２０４を有している。フレキシブル基板２２０４はドライブ回路６６から供給される画像表示用の駆動信号を前記電極に供給するためのものである。
ディスプレイ本体２２０４は凹部８６１２に収容されることでディスプレイ本体２２０４の厚さ方向と直交する方向の位置決めがなされる。
【００１７】
すなわち、基板１０４およびランプガイド１０２が内側ケース８６の前端に配置される際に、クッション１０６、拡散板１０８、第１の偏光板１１０、スペーサ１１２、ディスプレイ本体２２０２が凹部８６１２を介して内側ケース８６の内部に配置され、その際、クッション１０６が圧縮され、このクッション１０６の弾性力によりそれらの部材は基板１０４および凹部８６１２との間で挟持され内側ケース８６内に保持される。
内側ケース８６の後端には第２の偏光板１１４が取着され、第２の偏光板１１４はディスプレイ本体２２０４の後面、すなわち表示面に臨んでいる。
本実施の形態では、ディスプレイ本体２２０４と第１の偏光板１１０と第２の偏光板１１４とによってディスプレイパネル２２が構成されている。
【００１８】
図１０に示すように、外側ケース８８は、内側ケース８６の断面よりも大きい寸法の断面の筒状を呈して前後に延在している。
外側ケース８８は、下壁８８０２と上壁８８０４と左右の側壁８８０６を有し、断面が矩形枠状を呈している。
外側ケース８８の前端に、上壁８８０４の前端と、左右の側壁８８０６の前端を接続する前壁８８０８が設けられている。
下壁８８０２は外側ケース８８の後端寄り箇所に位置している。
左右の側壁８８０６には複数の係合凹部８８１０と、複数のねじ孔８８１２が形成されている。
なお、本実施の形態では、電子式ビューファインダー装置８０がカメラ本体１１に枢支され結合されている箇所は外側ケース８８の前端寄り箇所である。
【００１９】
図７、図１０に示すように、収容空間９０は、外側ケース８８の内部に設けられている。
収容空間９０は、内側ケース８６を、内側ケース８６の延在方向を外側ケース８８の延在方向に合わせた状態で収容するように設けられ、本実施の形態では、収容空間９０は、外側ケース８８の前端寄りに設けられている。
開口９２は、下壁８８０２の前端と前壁８８０８の下端とにわたって延在形成され、したがって、外側ケース８８の延在方向に沿って延在する外側ケース８８の壁部に形成されており、内側ケース８６を収容空間９０に挿入するように設けられている。
詳細には、開口９２は、内側ケース８６の左右の幅よりも大きい寸法の左右幅で、かつ、内側ケース８６の前後方向の長さよりも大きい寸法の前後方向の長さで延在形成され、開口９２は、内側ケース８６を、内側ケース８６の延在方向を外側ケース８８の延在方向に合わせた状態で収容空間９０に挿入できるように形成されている。
開口９２が形成された箇所よりも後方の箇所で外側ケース８８が収容空間９０に臨む内面に、外側ケース８８の延在方向と直交する方向で内面全周に延在して外側ケース８８と一体に当て付け壁８８２０が膨出形成されている。
【００２０】
図６、図７、図１１に示すように、蓋体９４は開口９２を閉塞する大きさと形状で形成されている。
蓋体９４は複数の係合凸部９４０２を有し、それら係合凸部９４０２が、図１０に示す外側ケース８８の係合凹部８８１０に係合することで開口９２を閉塞した状態で位置決めされ、また、蓋体９４に形成された複数のねじ挿通孔９４０４を挿通したねじが外側ケース８８のねじ孔８８１２に螺合することで蓋体９４が外側ケース８８に取着される。
図７に示すように、ストッパ９８は、内側ケース８６が収容空間９０に収容され開口９２が蓋体９４で閉塞された状態で前方への内側ケース８６の移動を阻止するものである。
本実施の形態では、ストッパ９８は、蓋体９４が収容空間９０に臨む内面で外側ケース８８の延在方向と直交する方向に延在して蓋体９４と一体に膨出形成されたストッパ壁９８０２により構成されている。
ストッパ壁９８０２は、内側ケース８６の前端に当接可能なストッパ面９８０２Ａを有し、ストッパ面９８０２Ａは、収容空間９０の内側に至るにつれて前方に変位する傾斜面で形成されている。
すなわち、ストッパ壁９８０２（ストッパ面９８０２Ａ）が内側ケース８６の係合凸部８６０６に係合することにより、内側ケース８６が係合凸部８６０６を介して後方へ移動し、これにより、内側ケース８６は収容空間９０に収容された状態で前方への移動が阻止されている。
【００２１】
図７に示すように、防塵用クッション１００は、ストッパ９８により内側ケース８６の前方への移動が阻止された状態で外側ケース８８の内部で、後方に臨む内側ケース８６の壁面の周囲全周と、前方に臨む外側ケース８８の壁面の周囲全周との間に圧縮された状態で介在されている。
本実施の形態では、後方に臨む内側ケース８６の壁面の周囲全周は、内側ケース８６側壁（壁部８６０２）の後端面の全周であり、前方に臨む外側ケース８８の壁面の周囲全周は、前方に臨む当て付け壁８８２０の面の周囲全周である。
【００２２】
図７に示すように、前壁８８０８と蓋体９４の前端に、蓋体９４で開口９２を閉塞した状態で互いに向かい合いつつ左右に延在する突出壁８８３０、９４１０が前方に突設されている。
それら前壁８８０８の突出壁８８３０と蓋体９４の突出壁９４１０の間に基板挿通空間１１６が形成されている。
フレキシブル基板１０５、２２０４は基板挿通空間１１６を通って電子式ビューファインダー装置８０の外側ケース８８の内外に延在している。
基板挿通空間１１６は、前後延在部１１８と上下延在部１２０とを有し、前後延在部１１８は前後に延在しその後端が電子式ビューファインダー装置８０の外側ケース８８の内部に連通しており、上下延在部１２０は、前後延在部１１８の前端から下方に延在しその下端が外部に開口している。
【００２３】
図６、図７、図１２に示すように、アイカップ部９６は外側ケース８８の後端に取着されている。
アイカップ部９６は環状に延在する環状部９６０２を有し、環状部９６０２の内側に光学系８４を構成するレンズ８４０２とカバーガラス８４０４を収容している。
レンズ８４０２は、ディスプレイ本体２２０２の表示面に表示される画像を拡大するものであり、光軸方向に移動可能に設けられ、環状部９６０２に設けられた操作部材９６０４を左右に動かすことで光軸方向に移動することにより視度調整を行うことができるように構成されている。
カバーガラス８４０４はレンズ８４０２の後方に配置されレンズ８４０２を保護するものである。
アイカップ部９６の前端と外側ケース８８の後端とが付き合わされた状態で、外側ケース８８から挿通されたねじがアイカップ部９６のねじ孔９６０６に螺合することでアイカップ部９６が外側ケース８８に取着されている。
【００２４】
本実施の形態によれば、防塵用クッション１００が、後方に臨む内側ケース８６の壁面の周囲全周と、前方に臨む外側ケース８８の壁面の周囲全周との間に圧縮された状態で介在されているので、塵埃が外側ケース８８の内部に侵入したとしても、その塵埃が後方に臨む内側ケース８６の後端全周から内側ケース８８の内部に侵入することを防止できる。
したがって、電子式ビューファインダー装置８０の防塵性を確保することができ、ディスプレイ２２の表示面に塵埃が付着することを防止でき、電子式ビューファインダー装置８０に表示される画像の品質を確保する上で有利となる。
また、本実施の形態によれば、バックライト８２とディスプレイ装置２２などの部材を組み込んだ内側ケース８６を、外側ケース８８の収容空間９０に収容したのち、蓋体９４により開口９２を閉塞することで電子式ビューファインダー装置８０の組み立てが行なえるため、組立作業の簡素化を図る上で有利となる。
また、外側ケース８８の下面で、外側ケース８８の延在方向に沿って延在する壁部に形成された開口９２から内側ケース８６を収容空間９０に挿入し、蓋体９４により開口９２を閉塞したので、従来のように電子ビューファインダー装置のケースを２つの半体を連結して構成した場合に比較して、開口９２と蓋体９４の合わせ目は目立たない箇所に位置するため、電子式ビューファインダー装置８０の美観を向上させる上で有利となる。
【００２５】
なお、本実施の形態では、記録媒体として、ディスク状記録媒体としての光ディスクやメモリカードを用いる場合について説明したが、記録媒体はこれらに限定されるものではなく、例えば、テープ状記録媒体としての磁気テープ、あるいは、装脱可能なハードディスクドライブ装置、あるいは、ケース１２に内蔵されたハードディスクドライブ装置や半導体メモリであってもよい。
また、実施の形態では、撮像装置１０が動画データや静止画データの記録および再生の双方を行うものである場合について説明したが、動画データや静止画データの記録のみを行うものであってもよいことは無論である。
【図面の簡単な説明】
【００２６】
【図１】第１の実施の形態の撮像装置１０の構成を示す斜視図である。
【図２】第１の実施の形態の撮像装置１０の構成を示す斜視図である。
【図３】撮像装置１０の制御系の構成を示すブロック図である。
【図４】収容位置にある電子式ビューファインダー装置８０の斜視図である。
【図５】上方位置にある電子式ビューファインダー装置８０の斜視図である。
【図６】電子式ビューファインダー装置８０の分解斜視図である。
【図７】電子式ビューファインダー装置８０の断面図である。
【図８】内側ケース８６の斜視図である。
【図９】内側ケース８６に組み込まれる部品の分解斜視図である。
【図１０】外側ケース８８の斜視図である。
【図１１】蓋体９４の斜視図である。
【図１２】アイカップ部９６の斜視図である。
【符号の説明】
【００２７】
１０……撮像装置、１８……撮像素子、２２……ディスプレイパネル、８０……電子式ビューファインダー装置、８２……バックライト、８４……光学系、８６……内側ケース、８８……外側ケース、９０……収容空間、９２……開口、９４……蓋体、９６……アイカップ部、９８……ストッパ、１００……防塵用クッション。
【図１】
2007166463.tif 000003
【図２】
2007166463.tif 000004
【図３】
2007166463.tif 000005
【図４】
2007166463.tif 000006
【図５】
2007166463.tif 000007
【図６】
2007166463.tif 000008
【図７】
2007166463.tif 000009
【図８】
2007166463.tif 000010
【図９】
2007166463.tif 000011
【図１０】
2007166463.tif 000012
【図１１】
2007166463.tif 000013
【図１２】
2007166463.tif 000014